(57)【特許請求の範囲】
【請求項１】
取付部に取り付けられる吊掛装置ベースと、この吊掛装置ベースに着脱可能に吊り下げられる吊下シャフトと、から成る吊掛装置であって、
前記吊下シャフトの上端部にヘッド支持部を介して形成されたシャフトヘッドと、このシャフトヘッドにヘッド大径部を挟んで形成されたヘッドテーパー状面部及びヘッド円弧状面部と、
前記吊掛装置ベースを構成するベースプレートと、このベースプレートのベース部の下面に形成されたバネと、このバネの一端部に連続形成された第１弾性部と、前記バネの他端部に連続形成された第２弾性部と、前記第１弾性部に形成された第１折曲部と、前記第２弾性部に形成された第２折曲部と、前記ベース部と前記第１弾性部、第２弾性部との間に形成されたヘッド通過用スリットと、
前記吊掛装置ベースを構成するシャフト保持体と、このシャフト保持体に貫通形成されたシャフト保持体開口と、このシャフト保持体開口を形成し前記ヘッド大径部の直径寸法よりも大きく形成されたシャフト保持体開口大径部と、このシャフト保持体開口大径部と連続形成されて前記シャフト保持体開口を形成すると共に前記ヘッド大径部の直径寸法よりも小さく形成されたシャフト保持体開口小径部と、このシャフト保持体開口小径部を囲むように形成されたヘッド収容部と、前記シャフト保持体開口大径部とシャフト保持体開口小径部の間に対向して突設されたヘッドスライド阻止突起と、を有してなることを特徴とする吊掛装置。
【請求項２】
取付部に取り付けられる吊掛装置ベースと、この吊掛装置ベースに着脱可能に吊り下げられる吊下シャフトと、から成る吊掛装置であって、
前記吊下シャフトの上端部にヘッド支持部を介して形成されたシャフトヘッドと、このシャフトヘッドにヘッド大径部を挟んで形成されたヘッドテーパー状面部及びヘッド円弧状面部と、
前記吊掛装置ベースを構成するベースプレートと、このベースプレートのベース部の下面に形成されたバネと、このバネを構成すると共にバネを前記ベース部と連結させる連結部と、この連結部の一端部に連続形成された第１弾性部と、前記連結部の他端部に連続形成された第２弾性部と、前記第１弾性部に形成された第１折曲部と、前記第２弾性部に形成された第２折曲部と、前記ベース部と前記第１弾性部、第２弾性部との間に形成されたヘッド通過用スリットと、
前記吊掛装置ベースを構成するシャフト保持体と、このシャフト保持体に貫通形成されたシャフト保持体開口と、このシャフト保持体開口を形成し前記ヘッド大径部の直径寸法よりも大きく形成されたシャフト保持体開口大径部と、このシャフト保持体開口大径部と連続形成されて前記シャフト保持体開口を形成すると共に前記ヘッド大径部の直径寸法よりも小さく形成されたシャフト保持体開口小径部と、このシャフト保持体開口小径部を囲むように形成されたヘッド収容部と、前記シャフト保持体開口大径部とシャフト保持体開口小径部の間に対向して突設されたヘッドスライド阻止突起と、を有してなることを特徴とする吊掛装置。
【請求項３】
前記第１折曲部と第２折曲部の距離寸法は前記ヘッド支持部の直径寸法よりも大きく、前記シャフトヘッドのヘッド大径部の直径寸法よりも小さく設定し、前記ヘッド通過用スリットの上下方向寸法は前記シャフトヘッドのヘッド円弧状面部の上下方向寸法よりも大きく設定したことを特徴とする請求項１記載、請求項２のいずれかに記載された吊掛装置。
【発明の詳細な説明】
【技術分野】
【０００１】
本発明は、主に室内の天井等に取り付けて観葉植物や花の鉢植え、ハンガー、物干し竿等を吊り下げる場合に使用される吊掛装置に関する。
【背景技術】
【０００２】
従来より室内に観葉植物や花の鉢植え、ハンガー、物干し竿等を吊り下げる場合に使用される吊掛装置が提案されている（特許文献１）。
このタイプの吊掛装置は、天井等に固定される支持部材と、この支持部材に着脱可能に取り付けられると共に支持部材に吊り下げられる吊掛棒と、から構成されている。
前記支持部材に吊掛棒を吊り下げる場合は吊掛棒のフック部は支持部材の係止部に係止されて吊り下げられるようになっている。この係止部は支持部材に設けられたスプリングの押圧力を介してフック部を係止するようになっている。
このため、前記吊下棒を支持部材に着脱する場合は前記スプリングの押圧力に打ち勝つ必要があるので、吊下棒の着脱に際しては強い力が必要である。
【先行技術文献】
【特許文献】
【０００３】
【特許文献１】特開２００３−２２５４９８号公報
【発明の概要】
【発明が解決しようとする課題】
【０００４】
本発明は、上記事実に鑑みなされたものであり、シンプルな構成でありながら吊掛装置ベースに吊下シャフトを着脱する場合に強い力でなくても着脱することがきると共に吊掛装置ベースに吊り下げた吊下シャフトに不意な力が作用しても容易に吊下シャフトが脱落しない吊掛装置を提供するものである。
【課題を解決するための手段】
【０００５】
請求項１の発明は、取付部に取り付けられる吊掛装置ベースと、この吊掛装置ベースに着脱可能に吊り下げられる吊下シャフトと、から成る吊掛装置であって、
前記吊下シャフトの上端部にヘッド支持部を介して形成されたシャフトヘッドと、このシャフトヘッドにヘッド大径部を挟んで形成されたヘッドテーパー状面部及びヘッド円弧状面部と、
前記吊掛装置ベースを構成するベースプレートと、このベースプレートのベース部の下面に形成されたバネと、このバネの一端部に連続形成された第１弾性部と、前記バネの他端部に連続形成された第２弾性部と、前記第１弾性部に形成された第１折曲部と、前記第２弾性部に形成された第２折曲部と、前記ベース部と前記第１弾性部、第２弾性部との間に形成されたヘッド通過用スリットと、
前記吊掛装置ベースを構成するシャフト保持体と、このシャフト保持体に貫通形成されたシャフト保持体開口と、このシャフト保持体開口を形成し前記ヘッド大径部の直径寸法よりも大きく形成されたシャフト保持体開口大径部と、このシャフト保持体開口大径部と連続形成されて前記シャフト保持体開口を形成すると共に前記ヘッド大径部の直径寸法よりも小さく形成されたシャフト保持体開口小径部と、このシャフト保持体開口小径部を囲むように形成されたヘッド収容部と、前記シャフト保持体開口大径部とシャフト保持体開口小径部の間に対向して突設されたヘッドスライド阻止突起と、を有してなることを特徴としている。
請求項２の発明は、取付部に取り付けられる吊掛装置ベースと、この吊掛装置ベースに着脱可能に吊り下げられる吊下シャフトと、から成る吊掛装置であって、
前記吊下シャフトの上端部にヘッド支持部を介して形成されたシャフトヘッドと、このシャフトヘッドにヘッド大径部を挟んで形成されたヘッドテーパー状面部及びヘッド円弧状面部と、
前記吊掛装置ベースを構成するベースプレートと、このベースプレートのベース部の下面に形成されたバネと、このバネを構成すると共にバネを前記ベース部と連結させる連結部と、この連結部の一端部に連続形成された第１弾性部と、前記連結部の他端部に連続形成された第２弾性部と、前記第１弾性部に形成された第１折曲部と、前記第２弾性部に形成された第２折曲部と、前記ベース部と前記第１弾性部、第２弾性部との間に形成されたヘッド通過用スリットと、
前記吊掛装置ベースを構成するシャフト保持体と、このシャフト保持体に貫通形成されたシャフト保持体開口と、このシャフト保持体開口を形成し前記ヘッド大径部の直径寸法よりも大きく形成されたシャフト保持体開口大径部と、このシャフト保持体開口大径部と連続形成されて前記シャフト保持体開口を形成すると共に前記ヘッド大径部の直径寸法よりも小さく形成されたシャフト保持体開口小径部と、このシャフト保持体開口小径部を囲むように形成されたヘッド収容部と、前記シャフト保持体開口大径部とシャフト保持体開口小径部の間に対向して突設されたヘッドスライド阻止突起と、を有してなることを特徴としている。
請求項３の発明は、前記第１折曲部と第２折曲部の距離寸法は前記ヘッド支持部の直径寸法よりも大きく、前記シャフトヘッドのヘッド大径部の直径寸法よりも小さく設定し、前記ヘッド通過用スリットの上下方向寸法は前記シャフトヘッドのヘッド円弧状面部の上下方向寸法よりも大きく設定したことを特徴としている。
【発明の効果】
【０００６】
本発明の吊掛装置は、取付部に取り付けられた吊掛装置ベースに吊下シャフトを着脱する場合に強い力を必要としなくても簡単に着脱することができると共に吊り下げた吊下シャフトに人等が当たる等して吊下シャフトに不意な力が作用しても吊掛装置ベースから吊下シャフトが容易に脱落するのを防止できるという優れた効果を有する。
本発明の吊掛装置は、吊掛装置ベースの部品点数が少なくシンプルな構造であるので、製造が簡単で製品価格を抑えて吊掛装置を提供することができるという優れた効果を有する。
【図面の簡単な説明】
【０００７】
【図１】実施例の吊掛装置の全体斜視図である。
【図２】実施例の吊掛装置の吊下シャフトの一部拡大側面図である。
【図３】実施例の吊掛装置の吊掛装置ベースの分解斜視図である。
【図４】実施例の吊掛装置のベースプレートの底面図である。
【図５】実施例の吊掛装置のベースプレートの側面図である。
【図６】実施例の吊掛装置のシャフト保持体の平面図である。
【図７】実施例の吊掛装置の吊下シャフトとベースプレートの関係を示す作用説明図である。
【発明を実施するための形態】
【０００８】
発明を実施するために最良の形態の例として以下のような実施例を示す。
【実施例１】
【０００９】
図１〜図７には本発明に係る吊掛装置の一実施例が示されている。
図１には実施例の吊掛装置１０が全体斜視図で示されている。この吊掛装置１０は図示しない固定ネジ等の適宜固定手段により取付部としての天井（図示せず）に固定状態で取り付けられる吊掛装置ベース１２と、この吊掛装置ベース１２に着脱可能に取り付けられると共に吊掛装置ベース１２に吊り下げることができる吊下シャフト１４を備えている。
図２に示されるように、前記吊下シャフト１４のシャフト部１６の上端部には金属製で円柱形状のヘッド支持部１８を介して算盤玉状のシャフトヘッド２０が連続形成されている。この算盤玉状に形成されたシャフトヘッド２０にはヘッドテーパー状面部２０Ａとヘッド円弧状面部２０Ｂがヘッド大径部２０Ｃを挟んで形成されている。
図１に示されるように、前記シャフト部１６の下部には吊下用貫通孔２２が形成され、観葉植物や花の鉢植え、ハンガー、物干し竿等を吊り下げる場合に使用できるようになっている。
図３に示されるように、前記吊掛装置ベース１２は、合成樹脂材で形成されて天井に直接取り付けられるベースプレート２６と、金属で形成されて前記吊下シャフト１４を保持するシャフト保持体２８と、前記ベースプレート２６とシャフト保持体２８を収容するベースカバー３０と、を組み合わせて構成されている。
図４に示されるように、前記ベースプレート２６のベース部３２の下面中央部には前記シャフトヘッド２０が出たり入ったりできるバネ３４が一体形成されている。このバネ３４は底面視円弧状に形成されてバネ３４をベース部３２と連結させる連結部３６と、この連結部３６の一端部に連続形成された第１弾性部３８と、連結部３６の他端部に連続形成された第２弾性部３９と、によって構成されている。この第１弾性部３８には第１折曲部３８Ａが形成され、第２弾性部３９には第２折曲部３９Ａが形成されている。この第１折曲部３８Ａと第２折曲部３９Ａの距離寸法Ｗ１は前記ヘッド支持部１８の直径寸法Ｔ１（図２参照）よりも大きく設定されているが、シャフトヘッド２０のヘッド大径部２０Ｃの直径寸法Ｔ２（図２参照）よりも小さく設定されている。
図５に示されるように、前記ベースプレート２６のベース部３２と前記第１弾性部３８、第２弾性部３９との間にはそれぞれヘッド通過用スリット４０が形成されている。このヘッド通過用スリット４０の上下方向寸法Ｈ１は前記シャフトヘッド２０のヘッド円弧状面部２０Ｂの上下方向寸法Ｈ２（図２参照）よりも少し大きく設定されている。なお、前記ヘッド通過用スリット４０の上下方向寸法Ｈ１は連結部３６に近づくに従い小さい寸法になるように設定されている。
図４に示されるように、前記ベースプレート２６のベース部３２には固定ネジ（図示せず）が取り付けられるネジ長孔４２,４２が貫通形成されている。
また、前記ベース部３２の下面には位置決め突起４４が４個突設されると共に係合凸片４６，４６が突設されている。さらに、図３に示されるように前記ベース部３２の上面には前記ベースカバー３０が係止するベースカバー係止凹部４８，４８が形成されている。
図３及び図６に示されるように、前記シャフト保持体２８の中央部には前記シャフト保持体開口５０が貫通形成されている。このシャフト保持体開口５０は円形状のシャフト保持体開口大径部５０Ａと長円状のシャフト保持体開口小径部５０Ｂを連続して形成されている。このシャフト保持体開口大径部５０Ａの内径寸法Ｎ１（図６参照）は前記ヘッド大径部２０Ｃの直径寸法Ｔ２（図２参照）よりも少し大きく設定されている。また、前記シャフト保持体開口小径部５０Ｂの内径寸法Ｎ２（図６参照）は前記ヘッド大径部２０Ｃの直径寸法Ｔ２（図２参照）よりも小さく設定されると共にヘッド支持部１８の直径寸法Ｔ１（図２参照）よりも少し大きく設定されている。これにより、シャフトヘッド２０はシャフト保持体開口大径部５０Ａを通過することはできるがシャフト保持体開口小径部５０Ｂは通過できないようになっている。
また、前記シャフト保持体２８にはシャフト保持体開口小径部５０Ｂを囲むようにすり鉢状のヘッド収容部５２が形成されている。このヘッド収容部５２は前記シャフトヘッド２０を収容するものであり、ヘッド収容部５２は前記シャフトヘッド２０のテーパー状面部２０Ａと同じテーパー状に形成されている。このため、前記シャフトヘッド２０はヘッド収容部５２にフィットするためシャフトヘッド２０は安定した状態で収容されるようになっている。
前記シャフト保持体開口５０のシャフト保持体開口大径部５０Ａとシャフト保持体開口小径部５０Ｂの間の両側にはヘッドスライド阻止突起５４，５４が対向して突設されている。これらヘッドスライド阻止突起５４，５４は前記ヘッド収容部５２に収容された前記シャフトヘッド２０が図１矢印Ａ２方向にスライドしてもシャフトヘッド２０がヘッドスライド阻止突起５４，５４に当接してシャフトヘッド２０が図１矢印Ａ２方向にスライドするのを阻止するようになっている。
また、前記シャフト保持体２８には固定ネジ（図示せず）が取り付けられるネジ長孔５６,５６が貫通形成されている。このネジ長孔５６,５６は前記ベースプレート２６のネジ長孔４２,４２と対応するようになっている。
前記シャフト保持体２８には前記ベース部３２の位置決め突起４４が挿入する位置決め穴５８が４個形成されると共に前記係合凸片４６，４６が係合する係合凹部６０，６０が形成されている。
図３に示されるように、前記ベースカバー３０は平面視円形状に形成されている。このベースカバー３０は前記ベースプレート２６と前記シャフト保持体２８を収容してベースプレート２６、シャフト保持体２８をカバーするものである。
前記ベースカバー３０には前記シャフト保持体２８のシャフト保持体開口５０に対応するベースカバー開口６２が貫通形成されている。このベースカバー開口６２は前記シャフト保持体開口５０と略同一形状に形成され、円形状のベースカバー開口大径部６２Ａと長円状のベースカバー開口小径部６２Ｂが連続形成されている。
また、前記ベースカバー３０には前記ベースプレート２６のベースカバー係止凹部４８，４８に係止するベースプレート係止体６４，６４が形成されている。
【００１０】
実施例の吊掛装置１０の作用について説明する。
この吊掛装置１０の吊掛装置ベース１２を室内の天井に固定させる場合はベースプレート２６とシャフト保持体２８を係合させて固定ネジ（図示せず）を前記シャフト保持体２８のネジ長孔５６，５６及びベースプレート２６のネジ長孔４２，４２に挿入して固定ネジで前記ベースプレート２６と前記シャフト保持体２８を天井に固定する。次に、ベースカバー３０のベースプレート係止体６４，６４をベースプレート２６のベースカバー係止凹部４８，４８に係止する。これにより、吊掛装置ベース１２を天井に固定することができる。
天井に固定された吊掛装置ベース１２に吊下シャフト１４を取り付ける場合は吊掛装置ベース１２の下方に吊下シャフト１４のシャフトヘッド２０を位置させる。そして、吊下シャフト１４を持ち上げてベースカバー３０のベースカバー開口６２のベースカバー開口大径部６２Ａ、前記シャフト保持体２８のシャフト保持体開口５０のシャフト保持体開口大径部５０Ａを通過させ、シャフトヘッド２０の円弧状面部２０Ｂをベースプレート２６のベース部３２の下面に当接させる。この状態のままで吊下シャフト１４を図１矢印Ａ１方向にスライドさせる。
すると、図７に実線で示されたシャフトヘッド２０は図７矢印Ａ１方向にスライドし、シャフトヘッド２０のテーパー部２０Ａはバネ３４の第１弾性部３８の第１折曲部３８Ａと第２弾性部３９の第２折曲部３９Ａに当接するが、シャフトヘッド２０の円弧状面部２０Ｂとヘッド大径部２０Ｃはヘッド通過用スリット４０に対応するため第１弾性部３８の第１折曲部３８Ａと第２弾性部３９の第２折曲部３９Ａに当接しない。
従って、シャフトヘッド２０のテーパー部２０Ａのみが第１弾性部３８の第１折曲部３８Ａと第２弾性部３９の第２折曲部３９Ａに当接するようになっている。しかも、テーパー部２０Ａが第１折曲部３８Ａと第２折曲部３９Ａを押すので吊下シャフト１４をスライドさせる力が弱くても、第１弾性部３８と第２弾性部３９を離間方向にスムーズに拡開する。前記シャフトヘッド２０のテーパー部２０Ａが第１弾性部３８の第１折曲部３８Ａと第２弾性部３９の第２折曲部３９Ａの間を通過すると第１弾性部３８、第２弾性部３９は弾性復帰する。
そして、シャフトヘッド２０のヘッド大径部２０Ｃがバネ３４の連結部３６に当接したら吊下シャフト１４のスライドを停止して、持ち上げていた吊下シャフト１４を下ろすとシャフトヘッド２０はシャフト保持体２８のヘッド収容部５２に収容される。これにより、吊下シャフト１４を吊掛装置ベース１２に吊り下げた状態で取り付けることができる。しかも、シャフトヘッド２０のテーパー部２０Ａはヘッド収容部５２のテーパー面と同じテーパー状に形成されているので、シャフトヘッド２０はヘッド収容部５２に安定状態で収容されるため、前記吊下シャフト１４を安定した状態で吊掛装置ベース１２から吊り下げることができる。
これにより、観葉植物や花の鉢植え、ハンガー、物干し竿等を吊下シャフト１４の吊下用貫通孔２２に係止することにより、観葉植物や花の鉢植え、ハンガー、物干し竿等を吊り下げることができる。
人等が誤って吊下シャフト１４に吊り下げた観葉植物や花の鉢植え、ハンガー、物干し竿等に当たったり、吊下シャフト１４自体に当たったりして吊下シャフト１４に図１矢印Ａ２方向に水平な不意の力が作用して、ヘッド収容部５２に収容されているシャフトヘッド２０が図１矢印Ａ２方向にスライドしようとしてもシャフトヘッド２０はヘッドスライド阻止突起５４，５４に当接するため吊下シャフト１４はスライドするのを阻止される。また、前記吊下シャフト１４に斜め上方方向に不意な力が作用してシャフトヘッド２０が前記ヘッドスライド阻止突起５４，５４を乗り越えたとしてもヘッド大径部２０Ｃが直接第１弾性部３８、第２弾性部３９に当たるため第１弾性部３８と第２弾性部３９はスムーズに離間方向に開かないため吊下シャフト１４はスライドするのを阻止される。
従って、前記吊下シャフト１４に図１矢印Ａ２方向に水平な力や斜め上方方向に力が不意に作用しても、シャフトヘッド２０が図１矢印Ａ２方向にスライドするのは阻止される。
この結果、シャフトヘッド２０はヘッド収容部５２に収容された状態を維持するため、吊下シャフト１４が勝手に図１矢印Ａ２方向にスライドして吊掛装置ベース１２から脱落するのを防止することができる。
前記吊掛装置ベース１２に吊下げられている吊下シャフト１４を取り外す場合は吊下シャフト１４を持ち上げてシャフトヘッド２０の円弧状面部２０Ｂをベースプレート２６のベース部３２の下面に当接させる。この状態のままで吊下シャフト１４を図１矢印Ａ２方向にスライドさせる。シャフトヘッド２０のテーパー部２０Ａは第１弾性部３８の第１折曲部３８Ａと第２弾性部３９の第２折曲部３９Ａに当接するが、シャフトヘッド２０の円弧状面部２０Ｂとヘッド大径部２０Ｃはヘッド通過用スリット４０に対応するため第１弾性部３８の第１折曲部３８Ａと第２弾性部３９の第２折曲部３９Ａに当接しない。
従って、シャフトヘッド２０のテーパー部２０Ａのみが第１弾性部３８の第１折曲部３８Ａと第２弾性部３９の第２折曲部３９Ａに当接する。しかも、テーパー部２０Ａが第１折曲部３８Ａと第２折曲部３９Ａを押すので吊下シャフト１４をスライドさせる力が弱くても、第１弾性部３８と第２弾性部３９を離間方向にスムーズに拡開する。前記シャフトヘッド２０のテーパー部２０Ａが第１弾性部３８の第１折曲部３８Ａと第２弾性部３９の第２折曲部３９Ａの間を通過すると第１弾性部３８と第２弾性部３９は弾性復帰する。
そして、シャフトヘッド２０がシャフト保持体２８のシャフト保持体開口大径部５０Ａに対応したら吊下シャフト１４を下方に引けばシャフトヘッド２０はシャフト保持体開口大径部５０Ａ、ベースカバー３０のベースカバー開口大径部６２Ａを通過するので吊下シャフト１４を円滑に取り外すことができる。
【００１１】
従って、本発明の吊掛装置１０は、吊掛装置ベース１２に吊り下げられた吊下シャフト１４が不用意に脱落するのを防ぐことができると共に吊下シャフト１４の着脱時に強い力を必要とせずに吊下シャフト１４を吊掛装置ベース１２に取り付けたり、取り外したりすることができる。
また、本発明の吊掛装置１０は、ベースプレート２６、シャフト保持体２８、ベースカバー３０から成る吊掛装置ベース１２と吊下シャフト１４から構成されているので部品点数が少なくてシンプルであり、製造をシンプルにすることができると共に吊掛装置１０の提供価格を抑えて提供することができる。
【００１２】
なお、実施例では前記ベースプレート２６と前記シャフト保持体２８を収容してベースプレート２６とシャフト保持体２８をカバーするベースカバー３０を設けたが、吊掛装置１０をよりシンプルにしたい場合は前記ベースカバー３０を省略してもよいことは勿論である。
【００１３】
なお、実施例では吊掛装置ベース１２のベースプレート２６とベースカバー３０を合成樹脂材で形成し、吊下シャフト保持体２８を金属で形成したが、ベースプレート２６、ベースカバー３０、吊下シャフト保持体２８の材料はこれに限定されるものでないことは勿論である。
また、前記吊下シャフト１４の形状は実施例の形状に限定されるものでないことは勿論である。
【産業上の利用可能性】
【００１４】
本発明の吊掛装置１０は室内の天井以外にも取り付けて使用することができる。
【符号の説明】
【００１５】
１０    吊掛装置
１２    吊掛装置ベース
１４    吊下シャフト
１６    シャフト部
１８    ヘッド支持部
２０    シャフトヘッド
２０Ａ  ヘッドテーパ状面部
２０Ｂ  ヘッド円弧状面部
２０Ｃ  ヘッド大径部
２２    吊下用貫通孔
２６    ベースプレート
２８    シャフト保持体
３０    ベースカバー
３２    ベース部
３４    バネ
３６    連結部
３８    第１弾性部
３８Ａ  第１折曲部
３９    第２弾性部
３９Ａ  第２折曲部
４０    ヘッド通過用スリット
４２    ネジ長孔
４４    位置決め突起
４６    係合凸片
４８    ベースカバー係止凹部
５０    シャフト保持体開口
５０Ａ  シャフト保持体開口大径部
５０Ｂ  シャフト保持体開口小径部
５２    ヘッド収容部
５４    ヘッドスライド阻止突起
５６    ネジ長孔
５８    位置決め穴
６０    係合凹部
６２    ベースカバー開口
６２Ａ  ベースカバー開口大径部
６２Ｂ  ベースカバー開口小径部
６４    ベースプレート係止体
【図１】
0005930851.tif 000002
【図２】
0005930851.tif 000003
【図３】
0005930851.tif 000004
【図４】
0005930851.tif 000005
【図５】
0005930851.tif 000006
【図６】
0005930851.tif 000007
【図７】
0005930851.tif 000008